(57)【要約】【課題】仮想事故に対する復旧作業手順の正誤を容易に判別できるようにする。【解決手段】給電指令所で仮想事故を設定し、設定した仮想事故を関連する複数の電力関連施設に連絡する。仮想事故の通報を受けた各電力関連施設では、仮想事故の内容を分析してどのタイミングで当該仮想事故に対する復旧作業を実施するかを決定する。それぞれの電力関連施設で実施された復旧作業の手順情報はすべて給電指令所に集められ、復旧作業手順が１つに整理される。これが実際に実施した実行復旧作業手順であって、推奨する復旧作業手順と、その組み合わせ例との照合が行われる。どの組み合わせに当たるかを通知することで、復旧作業手順の連係ミスが軽微か、重大かを簡単に把握できる。仮想事故を復旧させるための手順として誤った復旧作業手順を実行したかどうかを、実際に復旧作業を実施する現場で確認することができる。【選択図】        図５
2008257586.tif 000002
【特許請求の範囲】
【請求項１】
仮想事故に対する復旧作業の手順を判定する復旧作業手順のシミュレーション判定方法であって、
仮想事故情報を入力するステップと、
上記仮想事故情報を該当する電力関連施設に伝達するステップと、
複数の上記電力関連施設からの復旧作業情報を受信して保存するステップと、
上記複数の電力関連施設より受信した上記復旧作業情報を入力時系列に沿って整理して実行復旧作業手順情報を生成するステップと、
上記仮想事故に対する推奨復旧作業手順情報及びその組み合わせに係る照合用復旧作業手順情報をそれぞれ第１の記憶手段より取得するステップと、
上記実行作業手順情報と、上記推奨復旧作業手順及びその組み合わせに係る照合用復旧作業情報とを照合するステップと、
当該照合結果を上記電力関連施設に報告するステップと
からなることを特徴とする復旧作業手順のシミュレーション判定方法。
【請求項２】
上記実行復旧作業手順が、推奨する復旧作業手順と同一であるときとそうでないときとで、上記電力関連施設に対する報告事項を異ならせることを特徴とする請求項１記載の復旧作業手順のシミュレーション判定方法。
【請求項３】
上記実行復旧作業手順が上記照合用復旧作業手順のいずれかと一致したときは、一致した当該照合用復旧作業手順に応じた復旧作業結果の情報を上記電力関連施設に報告する
ことを特徴とする請求項１記載の復旧作業手順のシミュレーション判定方法。
【請求項４】
仮想事故情報を入力する手段と、
上記仮想事故情報を該当する電力関連施設に伝達する手段と、
複数の上記電力関連施設からの復旧作業情報を受信して保存する手段と、
上記複数の電力関連施設より受信した上記復旧作業情報を入力時系列に沿って整理して実行復旧作業手順情報を生成する手段と、
上記仮想事故に対する推奨復旧作業手順情報及びその組み合わせに係る照合用復旧作業手順情報をそれぞれ第１の記憶手段より取得する手段と、
上記実行作業手順情報と、上記推奨復旧作業手順及びその組み合わせに係る照合用復旧作業情報とを照合する手段と、
当該照合結果を上記電力関連施設に報告する手段と
を有することを特徴とする復旧作業手順のシミュレーション判定装置。
【請求項５】
上記実行復旧作業手順が推奨する復旧作業手順と同一であるときとそうでないときとで、上記電力関連施設に対する報告事項を異ならせる
ことを特徴とする請求項４記載の復旧作業手順のシミュレーション判定装置。
【請求項６】
上記実行復旧作業手順が上記照合用復旧作業手順のいずれかと一致したときは、一致した当該照合用復旧作業手順に応じた復旧作業結果の情報を上記電力関連施設に報告する
ことを特徴とする請求項４記載の復旧作業手順のシミュレーション判定装置。
【発明の詳細な説明】
【技術分野】
【０００１】
この発明は復旧作業手順のシミュレーション判定方法およびそのシミュレーション判定装置に関する。詳しくは、給電指令所と電力関連施設との間の復旧作業手順に関するシミュレーションを行うとき、復旧作業手順のパターンに応じて軽微なミスかどうかを判定することで、復旧作業手順の確認と同時に現場での正しい復旧作業手順を習得できるようにしたものである。
【背景技術】
【０００２】
電力関連分野では中央指令所（給電指令所）が、分散して存在する複数の電力関連施設を統括する。ここでいう電力関連施設とは、発電所（火力発電所、水力発電所、原子力発電所、風力発電所など）、変電所、ダムや開閉所を制御する制御所などを総称した概念である。
【０００３】
分散して存在するこれら電力関連施設で発生した事故に対する復旧作業は関係する電力関連施設間の相互連係が非常に重要になる。これは、１つの電力関連施設で発生した事故は当該電力関連施設のみでの復旧作業で済む場合の他に、１つの電力関連施設での事故を復旧させる場合でも、隣接するあるいは電力系統全体で互いに関連する複数の電力関連施設が係わって復旧処理を行わなければならないこともあるからである。このような事故の場合には、電力関連施設間での相互連係による復旧作業が極めて重要になる。
【０００４】
事故は、何時、どのような形態で、どの電力関連施設で発生するか判らないが、事故が起きたときは、安全で、しかも速やかに復旧作業が終了することが、復旧作業者に与えられた使命と言える。
【０００５】
このような事故に対処するため、あらゆる事故を想定しながらの日頃の復旧訓練が特に重要になる。そして、それぞれの電力関連施設および当該電力関連施設が管轄する地域で発生する可能性のある事故を想定し、想定した事故に対してマニュアル通りの理想的な連係プレイで復旧させられるように訓練しておく必要がある。つまり如何なる場合でも発生した事故に対して、正しい復旧作業手順で複数の電力関連施設が復旧作業を遂行できるようにしなければならない。
【０００６】
例えば、ある事故が発生し、少なくとも４つの電力関連施設の相互連係で復旧作業を遂行しなければならないときでも、最初にどの電力関連施設が復旧作業を行い、当該復旧作業が終了した段階で始めて別の電力関連施設での復旧作業を実行するように、相互に連係しながら電力関連施設間での復旧作業を実行しなければならないことが考えられるからである。
【０００７】
復旧作業を行うタイミングを間違え、本来は電力関連施設ＸＡが行う復旧作業としては、電力関連施設ＸＢの復旧作業が終了した段階で行わなければならないところ、電力関連施設ＸＢの復旧作業の前に電力関連施設ＸＡが復旧作業を開始してしまったりすると、却って重大な事故を誘発したり、復旧に手間取ってしまうことが起きるからである。
【０００８】
そのためには訓練施設において、事故を想定した訓練と、実施した訓練結果に対する反省が肝要である。場合によっては、所轄管内の電力関連施設の復旧担当者（当直者）に対する再教育や再訓練が必要になる場合もある。したがってこのようなシミュレーションを行い、その結果を判定するシステムなどの構築が切望されている。
【０００９】
なお、起こり得る事故に対する復旧作業は日頃から十分訓練されている。そして通常起こり得る事故に対しては給電指令所からの給電指令に基づき、系統運用に関する機器の運転と操作（復旧作業）が行われる。
【００１０】
操作指令とは、電力系統の切り替えを始めとして、母線の切り替え、変圧器の運転や停止、母線連絡用の遮断器等に対する開閉操作、送電線路用遮断器等に対する開閉操作などを挙げることができる。同じく運転指令の例としては、発電機の起動・停止・出力・電圧の調整などがあり、また電力関連施設が所轄する電力系統に接続された調相設備の運転・停止・電圧調整用変圧器のタップ変更指令などを挙げることができる。
【００１１】
さて、特許文献１には、電力系統の動揺を除去して安定状態に移行させるための操作手順の指示をできるようにするための電力送電系の教育・訓練シミュレータについて開示され、また特許文献２には、初期状態への立ち上げを可能にする電力系統のアナログシミュレーション判定装置が開示されている。
【００１２】
【特許文献１】特開２００１１１２１７２号公報
【特許文献２】特開平５  ３４４６４６号公報
【発明の開示】
【発明が解決しようとする課題】
【００１３】
ところで、特許文献１には、確かに特定の条件において電力系統の安定状態への移行のための操作手順のシミュレーションであって、電力送電系において、運転条件などに対応する運転状態を設定し、設定したこの運転状態を適用したときの教育・訓練シミュレーションに関するものであるから、複数の電力関連施設からの復旧作業情報を時系列ごとに捉えたとき、マニュアル通りの時系列となっているかを検証する技術は開示されていない。
【００１４】
また、特許文献２には想定した電力潮流状態への系統立ち上げを緩やかに行えるような、系統立ち上げの円滑操作を実現するシミュレーションが開示されている。したがって、シミュレーションの結果がマニュアル通りとなっているかを検証すると共に、その結果に基づいて復旧作業をシミュレーションする技術は開示されていない。
【００１５】
複数の電力関連施設における相互連係によって事故を復旧させるためのシミュレーションは、復旧作業をどのように連係するか、その連係タイミングが非常に重要な場合があるからである。
【００１６】
そこで、この発明はこのような従来の課題を解決したものであって、特に複数の電力関連施設での相互連係による復旧作業手順に対するシミュレーションを判定を行えるようにした復旧作業手順シミュレーション判定方法およびそのシミュレーション判定装置を提案するものである。
【課題を解決するための手段】
【００１７】
上述の課題を解決するため、請求項１に記載したこの発明に係る復旧作業手順のシミュレーション判定方法は、仮想事故情報を入力するステップと、
上記仮想事故情報を該当する電力関連施設に伝達するステップと、
複数の上記電力関連施設からの復旧作業情報を受信して保存するステップと、
上記複数の電力関連施設より受信した上記復旧作業情報を入力時系列に沿って整理して実行復旧作業手順情報を生成するステップと、
上記仮想事故に対する推奨復旧作業手順情報及びその組み合わせに係る照合用復旧作業手順情報をそれぞれ第１の記憶手段より取得するステップと、
上記実行作業手順情報と、上記推奨復旧作業手順及びその組み合わせに係る照合用復旧作業情報とを照合するステップと、
当該照合結果を上記電力関連施設に報告するステップとからなることを特徴とする。
【００１８】
また、請求項４に記載したこの発明に係る復旧作業手順のシミュレーション判定装置は、仮想事故情報を入力手段、
上記仮想事故情報を該当する電力関連施設に伝達する手段、
複数の上記電力関連施設からの復旧作業情報を受信して保存する手段、
上記複数の電力関連施設より受信した上記復旧作業情報を入力時系列に沿って整理して実行復旧作業手順情報を生成する手段、
上記仮想事故に対する推奨復旧作業手順情報及びその組み合わせに係る照合用復旧作業手順情報をそれぞれ第１の記憶手段より取得する手段、
上記実行作業手順情報と、上記推奨復旧作業手順及びその組み合わせに係る照合用復旧作業情報とを照合する手段と、
当該照合結果を上記電力関連施設に報告する手段とを有することを特徴とする。
【００１９】
この発明では、給電指令所で仮想事故を設定し、設定した仮想事故を関連する複数の電力関連施設に伝達する。この伝達は予告なく行われる。仮想事故を受信した各電力関連施設では、仮想事故の内容を分析してどのタイミングで当該仮想事故に対する復旧作業を実施するかを決定する。
【００２０】
復旧作業は当該電力関連施設内でも複数の手順を踏むことでその実行を復旧できることもあれば、ただ１つの手順でその復旧作業が終了する場合もある。給電指令所からの給電指令に基づいて復旧作業を実行する場合と、机上の仮想事故では一旦給電指令所からの復旧作業指示のあとは、それぞれの電力関連施設で相互に連係しながらその仮想事故に対する復旧作業を行うことが考えられる。
【００２１】
それぞれの電力関連施設で実施された復旧作業の手順情報はすべて給電指令所に集められる。そして、受信したタイミングごとに（時系列ごとに）各電力関連施設での復旧作業手順が整理される。これが復旧作業について実際に実施した実行復旧作業手順（履行復旧作業手順）となる。
【００２２】
一方、給電指令所側には、設定した仮想事故に関する推奨用復旧作業手順の情報をはじめとして、いろいろな復旧作業手順の組み合わせ例が照合用としてそれぞれ蓄積されているので、今回のシミュレーションによる実行復旧作業手順が、どの組み合わせの復旧作業手順に当てはまるかの照合処理が行われる。
【００２３】
照合処理の結果、推奨する復旧作業手順に当てはまる場合と、復旧作業手順が推奨する復旧作業手順とは相違するが、相違する復旧作業手順は軽微であり、復旧作業には支障を来さないと考えられる場合と、そして相違する復旧作業手順を実際に実行したときには重大な結果を招きかねない場合との３つのケースに分類する。
【００２４】
そして、それぞれのケースに該当するかを該当する電力関連施設に報告する。
電力関連施設では、本来何番目に復旧作業手順を実行しなければならなかったのかを知ることができる。つまり、仮想事故を復旧させるための手順として誤った復旧作業手順を実行したかどうかを、実際に復旧作業を実施する現場で確認することができる。このようなシミュレーションの判定を行うことで、仮想事故に対する生きたシミュレーションを実現できる。
【発明の効果】
【００２５】
この発明は、仮想事故を想定したシミュレーションにおいて、複数の電力関連施設での復旧作業順序が予め定められた復旧作業順序通りとなっているか否かを判定できるようにしたものである。
【００２６】
これによれば、どの復旧作業順序がその仮想事故に対して最も適切であったかを容易かつ確実に検証できるし、さらにはどの復旧作業順序が推奨する復旧作業順序であるかを確実に認識できるから、現場での生きたシミュレーションを複数の電力関連施設で実現できる特徴を有する。
【発明を実施するための最良の形態】
【００２７】
続いて、この発明に係る復旧作業手順のシミュレーション判定方法およびそのシミュレーション判定装置の好ましい実施例を図面を参照して詳細に説明する。
【実施例１】
【００２８】
図１はこの発明を実現するための復旧作業手順のシミュレーション判定システム１の概念図を示す。
【００２９】
この発明に係る復旧作業手順のシミュレーション判定装置１０は給電指令所側に設置される。給電指令所はインターネットなどの通信回線網（ネットワーク）又は専用回線網２を介して複数の電力関連施設側に設置された端末装置４（４Ａ〜４Ｎ）と接続されている。
【００３０】
復旧作業手順のシミュレーション判定装置１０と電力関連施設側端末装置４との相互アクセスによって、仮想事故に対する復旧作業の手順情報や指示情報の授受が行われる。復旧作業手順のシミュレーション判定装置１０に関連して少なくとも２つのデータベース１２，１４が設けられている。
【００３１】
一方のデータベース１２には、複数の仮想情報に対する推奨する復旧作業手順情報（復旧操作手順情報）が蓄積されている。他方のデータベース１４は、それぞれの電力関連施設から受信した復旧作業手順情報が蓄積される。この手順情報は一旦別のメモリ手段に蓄積し、最後にそれらの情報を整理した状態で、参考例（参照情報）としてデータベース１４に蓄積することでもよい。
【００３２】
データベース１２には、上述したように仮想事故ごとに復旧作業手順例を示す情報が蓄積されている。具体的には推奨する最も理想的な復旧作業手順と、それから想定される復旧作業手順の組み合わせ例であり、この組み合わせ例はシミュレーション判定の際の参照用復旧作業手順情報となる。
【００３３】
この仮想事故は、通常起こり得る事故を想定した場合の他に、通常は起こり得ない事故を想定した場合も併せて訓練できるような訓練システムである。それであるから、通常は１つあるいは２つの電力関連施設で復旧作業を実施すれば、その事故を復旧させられる事例はもちろんのこと、複数の電力関連施設での相互連係プレイが必要な事例まで盛り込まれている。したがって、この仮想事故例は、単一の電力関連施設で復旧が可能なものに限らず、複数の電力関連施設が相互に連係しながら復旧作業に当たることで始めて復旧が可能な机上での事故を含んでいる。様々な仮想事故情報を蓄積することによって、その事故を想定した訓練を実施できるように構築されている。
【００３４】
以下に示す例は、４つの電力関連施設で相互に復旧作業を実行して始めて事故が収束する仮想事故例であり、しかもその復旧作業手順の違いが軽微か、それとも重大な順序ミスかを示す情報も併せてデータベース１２に記録されている。
【００３５】
図４はその一例を示す。４つの電力関連施設での連係プレイであるので、推奨できる連係プレイの他に、それ以外の連係プレイの組み合わせは５通り考えられる。
【００３６】
この例では説明の都合上、連係すべき復旧作業を行うべき電力関連施設は全て相違すると想定している。そして推奨すべき復旧作業手順と電力関連施設との関係が図３の通り、仮想事故に対する操作指令が関連する電力関連施設ＸＡ、ＸＢ、ＸＣおよびＸＤに伝達される。
【００３７】
図３に示すように復旧作業は手順１から始まる。電力関連施設ＸＡでの復旧作業手順１が終了したら、次の電力関連施設ＸＢで復旧作業手順２が実行される。以後同様に電力関連施設ＸＣでの復旧作業手順３および電力関連施設ＸＤでの最後の復旧作業手順４へと続いて、全ての復旧作業が終了することになる。
【００３８】
そして、それぞれの連係プレイで復旧作業を実施した場合の結果が、軽微なミスと言えるか、それとも重大な作業手順ミスとなるかの情報が、その組み合わせパターンと共に記録されている。図４にその一例を示す。
【００３９】
図４の組み合わせパターンのうち、ケース（ａ）やケース（ｃ）は何れも軽微な復旧作業手順連係ミスと想定されるパターンであり、その他のケース（ｂ）、（ｄ）および(ｅ）は何れも重大な二次的事故が発生する可能性として考えられる復旧作業手順連係ミスと想定されるパターンである。
【００４０】
どのような事故が実際に発生しても、それに素早く対処できるようにするための訓練と、連係ミスが発生したときの影響の重大性を認識させ、そのような復旧作業手順連係ミスの発生をなくす訓練システムとしての意義をもつ。
【００４１】
起こり得る想定事故や、その復旧作業手順、そのときの復旧作業に当たる電力関連施設の具体例は上述した通りである。
【００４２】
他方のデータベース１４には、各電力関連施設側よりの復旧操作の手順情報（実行復旧作業手順）が実際に復旧作業を行った順序で時系列に沿って蓄積される。復旧作業に対する検証および解析は、実際に行われた実行復旧作業手順情報と推奨復旧作業手順情報に基づいて、図４の組み合わせパターンを参照して行われる。
【００４３】
図２はこの発明に係る復旧作業手順のシミュレーション判定装置１０の実施例を示す要部の系統図である。この復旧作業手順のシミュレーション判定装置１０に関連して、上述した２つのデータベース１２，１４が内部バス２０およびＬＡＮ１６を介して接続されている。
【００４４】
この復旧作業手順のシミュレーション判定装置１０はコンピュータとして機能するものであって、装置全体の制御を司る制御部としてのＣＰＵ２２を始めとして、復旧作業手順のシミュレーション判定を行うための処理プログラムなどがストアされたメモリ手段（ＲＯＭ）２４と、ワーキング用のメモリ手段（ＲＡＭ）２６が何れも内部バス２０に接続されて構成される。ワーキング用のメモリ手段２６は、当該処理プログラムを用いてデータベース１４に蓄積された推奨復旧作業手順情報などを取得して、実際の復旧作業手順情報からシミュレーション判定を行うときのワークエリアとしても機能する。
【００４５】
また、マウスやキーボードなどの入力手段２８やプリンタなどの出力手段３０さらにはモニタ３２が内部バス２０に接続され、さらにこの例ではインターネットや専用回線などに接続するための通信手段３４が内部バス２０に接続されて構成される。
【００４６】
図５は、給電指令所側に設けられた復旧作業手順シミュレーション判定装置１０を使用してこの発明に係る復旧作業手順のシミュレーション判定方法を実現するための一例を示すフローチャートである。まず、仮想事故訓練が開始されると、データベース１２に蓄積された仮想事故のうちの任意の仮想事故情報を取得し、特定の仮想事故データを入力する（ステップ４１）。
【００４７】
次に入力した仮想事故情報を、復旧作業が必要と想定される複数の電力関連施設に通報する（ステップ４２）。この通報は予告なしに行われる。この通報によって各電力関連施設は仮想事故に対する復旧対策班が招集されて、どこの電力関連施設からの情報を入手してどのような手順で、復旧作業を実行するかが早急に検討される。その検討結果を踏まえてどの電力関連施設からの復旧作業終了の情報を待って復旧作業を実施することになる。実施した復旧作業手順情報（実行復旧作業手順情報）は給電指令所側に送信（報告）される。
【００４８】
給電指令所側では、それぞれの電力関連施設で実行した復旧作業手順情報を取得し、これをメモリ手段２６に蓄積すると共に、データベース１４にも蓄積される（ステップ４３）。これら復旧作業手順情報を例えば受信時間を基準にして整理する（ステップ４４）。この整理作業を行うと、どの電力関連施設がどのタイミングに復旧作業を実行したかを知ることができる。
【００４９】
続いて、データベース１２に蓄積された推奨復旧作業手順情報およびその組み合わせパターン情報を取得して、実際の復旧作業手順とのシミュレーション判定（照合処理）を行う（ステップ４５）。
【００５０】
シミュレーション判定の結果、実際の復旧作業手順が推奨復旧作業手順と同じであったときは（ステップ４６）、正しい復旧作業手順の連係プレイである旨を訓練に参加した電力関連施設に通知する（ステップ５５）。通知を受けた電力関連施設での訓練参加者（現場担当者）は、復旧作業班が実行した復旧作業手順が正しかったことを確認できる。これで一連のシミュレーション判定処理が終了する。
【００５１】
シミュレーション判定の結果、実際の復旧作業手順と推奨復旧作業手順とが相違しているときは、どのケースの復旧作業手順であったかを照合し、そして判定する（ステップ５０）。その結果、図４に示すケースのうち、実際の復旧作業手順が、軽微な連係ミスである例えばケース（ａ）やケース（ｃ）に当たると判断されたときは連係して復旧作業に携わった電力関連施設にその旨を通知すると共に、必要に応じて改善マニュアル（具体的には推奨復旧作業手順情報）を送信して（ステップ５０，５１）、仮想事故に対するシミュレーション判定処理を終了する。
【００５２】
そして、シミュレーション判定の結果、実際の復旧作業手順が、重大な連係ミスに当たる例えばケース（ｂ）やケース（ｄ）あるいはケース（ｅ）に相当すると判断されたときは連係して復旧作業に携わった電力関連施設にその旨を通知する（ステップ５０，５２）。そしてこの場合には単純な連係ミスとは判断できないために、同じ連係ミスが繰り返されないように該当する電力関連施設に対し、再シミュレーションの要請（再訓練要請）を行って、仮想事故に対するシミュレーション判定処理を終了する（ステップ５３）。
【００５３】
このように実際に起こり得る事故を想定してシミュレーションすることはもちろんのこと、机上ではあるが、場合によっては起こり得る仮想事故を想定し、複数の電力関連施設での相互連係によって事故の復旧に当たる訓練も必要である。復旧作業手順の連係ミスが軽微か、重大かを簡単に把握できる。仮想事故を復旧させるための連係が誤った手順で実行したかどうかを、実際に復旧作業を実施する現場で確認することができる。
【００５４】
そして、そのシミュレーションに対する判定結果に応じた次善策も必要である。この発明ではこの次善策を含めた日頃の訓練に適応できる。実際に実行した復旧作業手順情報は整理された上で、データベース１４に蓄積され、後に参考例として参照できるようになっている。
【産業上の利用可能性】
【００５５】
この発明は、電力関連事業のように多数の電力関連施設があり、しかも一旦事故が発生したときには速やかに復旧処理を行う必要があるシミュレーション判定システムに適用できる。
【図面の簡単な説明】
【００５６】
【図１】この発明を実現できる復旧作業手順シミュレーションシステムの一例を示す概念図である。
【図２】この発明に係る復旧作業手順シミュレーション判定装置の一例を示す系統図である。
【図３】データベースに蓄積された推奨する復旧作業順序の組み合わせ例を示す図である。
【図４】復旧作業手順の組み合わせ例を示す図である。
【図５】この発明に係る復旧作業手順シミュレーション判定方法を実現した処理例を示すフローチャートである。
【符号の説明】
【００５７】
１・・・シミュレーション判定システム
２・・・通信回線網（専用回線）
４・・・端末装置
１０・・・シミュレーション判定装置
２２・・・ＣＰＵ
３２・・・モニタ
【図１】
2008257586.tif 000003
【図２】
2008257586.tif 000004
【図３】
2008257586.tif 000005
【図４】
2008257586.tif 000006
【図５】
2008257586.tif 000007